【手続補正書】
【提出日】平成18年12月20日(2006.12.20)
【手続補正１】
【補正対象書類名】特許請求の範囲
【補正対象項目名】全文
【補正方法】変更
【補正の内容】
【特許請求の範囲】
【請求項１】
症状に基づく被験者の診断の方法であって，
前記被験者から得た試験試料を被験者に由来する複数のマーカーの存在または量について分析し，ここで，前記マーカーは，前記被験者により示される症状の鑑別診断において前記被験者における複数の状態の存在または不存在を識別するために選択されておりそして
前記試験試料中の前記マーカーの存在または量を前記複数の状態のそれぞれの存在または不存在と関連づける，
ことを含む方法。
【請求項２】
前記症状が，呼吸困難，発熱，胸の痛み，腹痛，代謝状態の障害，神経機能不全，高血圧，めまい感，および頭痛からなる群より選択される，請求項１記載の方法。
【請求項３】
前記症状が呼吸困難であり，および前記複数の状態が，ぜん息，慢性閉塞性肺疾病（"ＣＯＰＤ"），気管狭窄，閉塞性気管支内腫瘍，肺線維症，じん肺症，癌性リンパ管炎，脊柱後側弯症，胸水，筋萎縮性側索硬化症，うっ血性心不全，冠状動脈疾病，心筋梗塞，心房性細動，心筋症，弁機能不全，左心室肥大，心膜炎，不整脈，肺塞栓症，代謝性アシドーシス，慢性気管支炎，肺炎，不安，敗血症，および動脈瘤切開からなる群より選択される，請求項２記載の方法。
【請求項４】
前記複数の状態が，心筋梗塞および肺塞栓症，心筋梗塞およびうっ血性心不全，肺塞栓症およびうっ血性心不全，または心筋梗塞，肺塞栓症，およびうっ血性心不全を含む，請求項３記載の方法。
【請求項５】
前記症状が呼吸困難であり，および前記複数のマーカーが，心臓障害の特異的マーカー，神経組織の障害の特異的マーカー，組織障害の非特異的マーカー，血圧制御に関連するマーカー，肺障害に関連するマーカー，炎症に関連するマーカー，凝固およびうっ血に関連するマーカー，およびアポトーシスに関連するマーカーからなる群より独立して選択される複数のマーカーを含む，請求項２記載の方法。
【請求項６】
前記症状が呼吸困難であり，および前記複数のマーカーが，遊離型心臓トロポニンＩ，遊離型心臓トロポニンＴ，トロポニンＩおよびトロポニンＣの一方または両方を含む複合体中の心臓トロポニンＩ，トロポニンＩおよびトロポニンＣの一方または両方を含む複合体中の心臓トロポニンＴ，総心臓トロポニンＩ，総心臓トロポニンＴ，クレアチンキナーゼ−ＭＢ，Ｓ１００ａｏ，Ａ型ナトリウム利尿ペプチド，Ｂ型ナトリウム利尿ペプチド，カルシトニン遺伝子関連ペプチド，カルシトニン，ウロテンシン１，ウロジラチン，アドレノメジュリン，ミオグロビン，平滑筋ミオシン重鎖，血栓前駆体蛋白質，Ｄ−ダイマー，好中球エラスターゼ，７ｓコラーゲンフラグメント，肺サーファクタント蛋白質，ジパルミトイルホスファチジルコリン，ＫＬ−６，平滑筋ミオシン軽鎖，ＩＬ−１ｒａ，ミエロペルオキシダーゼ，Ｃ反応性蛋白質，単球遊走促進ペプチド−１，およびＭＭＰ−９，またはこれらに関連するマーカーからなる群より選択される少なくとも１つの被験者に由来するマーカーを含む，請求項５記載の方法。
【請求項７】
被験者に由来する前記複数のマーカーが，少なくとも１つの型の心臓トロポニン，Ｂ型ナトリウム利尿ペプチドまたはＢ型ナトリウム利尿ペプチドに関連するマーカー，およびＤ−ダイマーを含む，請求項５記載の方法。
【請求項８】
前記症状が胸の痛みであり，および前記複数の状態が，安定性アンギナ，不安定性アンギナ，心筋虚血，心臓壊死，心房性細動，心筋梗塞，筋骨格の創傷，胆嚢炎，胃食道逆流，肺塞栓症，心膜炎，動脈解離，肺炎，不安からなる群より選択される，請求項２記載の方法。
【請求項９】
前記複数の状態が，動脈解離，心筋虚血，心筋壊死，心筋梗塞，および心房性細動を含む，請求項８記載の方法。
【請求項１０】
前記症状が胸の痛みであり，および前記複数のマーカーが，心臓障害の特異的マーカー，神経組織の障害の特異的マーカー，組織障害の非特異的マーカー，血圧制御に関連するマーカー，炎症に関連するマーカー，凝固およびうっ血に関連するマーカー，およびアポトーシスに関連するマーカーからなる群より独立して選択される複数のマーカーである，請求項２記載の方法。
【請求項１１】
前記症状が胸の痛みであり，および前記複数のマーカーが，遊離型心臓トロポニンＩ，遊離型心臓トロポニンＴ，トロポニンＩおよびトロポニンＣの一方または両方を含む複合体中の心臓トロポニンＩ，トロポニンＩおよびトロポニンＣの一方または両方を含む複合体中の心臓トロポニンＴ，総心臓トロポニンＩ，総心臓トロポニンＴ，クレアチンキナーゼ−ＭＢ，Ｓ１００ａｏ，Ａ型ナトリウム利尿ペプチド，Ｂ型ナトリウム利尿ペプチド，ＮＴ−ｐｒｏＢＮＰ，カルシトニン遺伝子関連ペプチド，カルシトニン，ウロテンシン１，ミオグロビン，平滑筋ミオシン重鎖，血栓前駆体蛋白質，Ｄ−ダイマー，平滑筋ミオシン重鎖，ＩＬ−１ｒａ，ミエロペルオキシダーゼ，Ｃ反応性蛋白質，単球遊走促進ペプチド−１，およびＭＭＰ−９，またはこれらに関連するマーカーからなる群より選択される少なくとも１つの被験者に由来するマーカーを含む，請求項１０記載の方法。
【請求項１２】
被験者に由来する前記複数のマーカーが，少なくとも１つの型の心臓トロポニン，Ｂ型ナトリウム利尿ペプチドまたはＢ型ナトリウム利尿ペプチドに関連するマーカーおよび平滑筋ミオシン重鎖を含むか，または
被験者に由来する前記複数のマーカーが，少なくとも１つの型の心臓トロポニンおよび平滑筋ミオシン重鎖を含むか，または
被験者に由来する前記複数のマーカーが，少なくとも１つの型の心臓トロポニン，Ｂ型ナトリウム利尿ペプチドまたはＢ型ナトリウム利尿ペプチドに関連するマーカー，心房性ナトリウム利尿ペプチドまたは心房性ナトリウム利尿ペプチドに関連するマーカー，クレアチンキナーゼＭＢ，および平滑筋ミオシン重鎖を含む，請求項１１記載の方法。
【請求項１３】
前記症状が神経機能不全であり，および前記複数の状態が，発作，虚血性発作，クモ膜下出血，一過性虚血性発作，脳内出血，出血性発作，脳腫瘍，脳低酸素症，低血糖症，片頭痛，心房性細動，心筋梗塞，心臓虚血，末梢血管疾病，片頭痛，およびてんかんからなる群より選択される，請求項２記載の方法。
【請求項１４】
前記複数の状態が，虚血性発作，出血性発作，一過性虚血性発作，心房性細動，心筋虚血，および心筋梗塞を含むか，または
前記症状が神経機能不全であり，および前記複数のマーカーが，心臓障害の特異的マーカー，神経組織の障害の特異的マーカー，組織障害の非特異的マーカー，血圧制御に関連するマーカー，炎症に関連するマーカー，凝固およびうっ血に関連するマーカー，およびアポトーシスに関連するマーカーからなる群より独立して選択される複数のマーカーを含むか，または
前記症状が神経機能不全であり，および前記複数のマーカーが，遊離型心臓トロポニンＩ，遊離型心臓トロポニンＴ，トロポニンＩおよびトロポニンＣの一方または両方を含む複合体中の心臓トロポニンＩ，トロポニンＩおよびトロポニンＣの一方または両方心臓トロポニンＴ，総心臓トロポニンＩ，総心臓トロポニンＴ，Ｃ反応性蛋白質，クレアチンキナーゼ−ＢＢ，クレアチンキナーゼ−ＭＢ，ＩＬ−１ｒａ，Ｄ−ダイマー，ニューロトロフィン−３，ｃ−Ｔａｕ，血管内皮成長因子，血栓前駆体蛋白質，Ｂ型ナトリウム利尿ペプチド，心房性ナトリウム利尿ペプチド，インターロイキン−６，マトリクスメタロプロテイナーゼ−９，Ｓ−１００β，トロンビン−アンチトロンビンＩＩＩ複合体，カスペース−３，シトクロムｃ，およびある型のフォン・ビルブラント因子，またはこれらに関連するマーカーからなる群より選択される少なくとも１つの被験者に由来するマーカーを含む，請求項１３記載の方法。
【請求項１５】
前記試験試料が，血液試料，血清試料，血漿試料，脳脊髄液試料，尿試料，唾液試料，痰試料，および胸水試料からなる群より選択される，請求項１記載の方法。
【請求項１６】
前記複数のマーカーが，遊離型心臓トロポニンＩ，遊離型心臓トロポニンＴ，トロポニンＩおよびトロポニンＣの一方または両方を含む複合体中の心臓トロポニンＩ，トロポニンＩおよびトロポニンＣの一方または両方を含む複合体中の心臓トロポニンＴ，総心臓トロポニンＩ，総心臓トロポニンＴ，Ｂ型ナトリウム利尿ペプチド，心房性ナトリウム利尿ペプチド，肺サーファクタントプロテインＤ，Ｄ−ダイマー，アネキシンＶ，エノラーゼ，クレアチンキナーゼ−ＢＢ，クレアチンキナーゼ−ＭＢ，グリコゲンホスホリラーゼ，心臓型脂肪酸結合蛋白質，ホスホグリセリン酸ムターゼ，Ｓ−１００β，Ｓ−１００ａｏ，プラスミン−α２−アンチプラスミン複合体，β−トロンボグロブリン，血小板因子４，フィブリノペプチドＡ，血小板由来成長因子，プロトロンビンフラグメント１＋２，Ｐ−セレクチン，トロンビン−アンチトロンビンＩＩＩ複合体，フォン・ビルブラント因子，組織因子，血栓前駆体蛋白質，ヒト好中球エラスターゼ，誘導性一酸化窒素シンターゼ，リゾホスファチド酸，マロンジアルデヒド修飾低密度リポ蛋白質，マトリクスメタロプロテイナーゼ−１，マトリクスメタロプロテイナーゼ−２，マトリクスメタロプロテイナーゼ−３，マトリクスメタロプロテイナーゼ−９，ＴＩＭＰ１，ＴＩＭＰ２，ＴＩＭＰ３，Ｃ反応性蛋白質，インターロイキン−１β，インターロイキン−１レセプターアンタゴニスト，インターロイキン−６，腫瘍壊死因子α，可溶性細胞間接着分子−１，血管細胞接着分子，単球遊走促進蛋白質−１，カスペース−３，シトクロムｃ，ヒトリポカリン型プロスタグランジンＤシンターゼ，マスト細胞トリプターゼ，好酸球カチオン性蛋白質，ＫＬ−６，プロカルシトニン，ハプトグロビン，ｓ−ＣＤ４０リガンド，Ｓ−ＦＡＳリガンド，アルファ２アクチン，塩基性カルポニン１，ＣＳＲＰ２エラスチン，ＬＴＢＰ４，平滑筋ミオシン，平滑筋ミオシン重鎖，トランスジェリン，アルドステロン，アンジオテンシンＩ，アンジオテンシンＩＩ，アンジオテンシンＩＩＩ，ブラジキニン，カルシトニンカルシトニン遺伝子関連ペプチド，エンドセリン１，エンドセリン２，エンドセリン３，レニン，バソプレシン，ＡＰＯＢ４８，膵臓エラスターゼ１，膵臓リパーゼ，ｓＰＬＡ２，トリプシノーゲン活性化ペプチド，アルファエノラーゼ，ＬＡＭＰ３，ホスホリパーゼＤ，ＰＬＡ２Ｇ５，プロテインＤ，ＳＦＴＰＣ，ディフェンシンＨＢＤ１，ディフェンシンＨＢＤ２，ＣＸＣＬ−１，ＣＸＣＬ−２，ＣＸＣＬ−３，ＣＣＬ２，ＣＣＬ３，ＣＣＬ４，ＣＣＬ８，プロカルシトニン，プロテインＣ，血清アミロイドＡ，ｓ−グルタチオン，ｓ−ＴＮＦＰ５５，ｓ−ＴＮＦＰ７５，ＴＡＦＩ，ＴＧＦベータ，ＭＭＰ−１１，脳脂肪酸結合蛋白質，ＣＡ１１，ＣＡＢＰ１，ＣＡＣＮＡ１Ａ，ＣＢＬＮ１，ＣＨＮ２，切断されたＴａｕ，ＣＲＨＲ１，ＤＲＰＬＡ，ＥＧＦ，ＧＰＭ６Ｂ，ＧＰＲ７，ＧＰＲ８，ＧＲＩＮ２Ｃ，ＧＲＭ７，ＨＡＰＩＰ，ＨＩＦ１アルファ，ＨＩＰ２ＫＣＮＫ４，ＫＣＮＫ９，ＫＣＮＱ５，ＭＡＰＫ１０，ｎ−アセチルアスパラギン酸，ＮＥＵＲＯＤ２，ＮＲＧ２，ＰＡＣＥ４，ホスホグリセレートムターゼ，ＰＫＣガンマ，ｃ−Ｔａｕ，プロスタグランジンＥ２��ＰＴＥＮ，ＰＴＰＲＺ１，ＲＧＳ９，ＳＣＡ７，セクレタゴギン，ＳＬＣ１Ａ３，ＳＯＲＬ１，ＳＲＥＢ３，ＳＴＡＣ，ＳＴＸ１Ａ，ＳＴＸＢＰ１，ＢＤＮＦ，シスタチンＣ，ニューロキニンＡ，サブスタンスＰ，ＩＬ−１ｒａ，インターロイキン−１，インターロイキン−１１，インターロイキン−１３，インターロイキン−１８，インターロイキン−４，およびインターロイキン−１０，またはこれらに関連するマーカーからなる群より選択される，請求項１記載の方法。
【請求項１７】
前記分析する工程が，前記試験試料を，それぞれが前記複数のマーカーの１つを検出するために結合するよう適合されている複数の別々のアドレス可能な位置を含む試験表面と接触させることを含む，請求項１記載の方法。
【請求項１８】
前記複数のマーカーが，サンドウィッチイムノアッセイにおいて検出される，請求項１７記載の方法。
【請求項１９】
前記試験表面が多孔質膜であるか，または
前記試験表面が非多孔質表面であるか，または
前記試験表面が毛細空間中にあるか，または
前記試験表面が，前記複数の別々のアドレス可能な位置に固定化された別々の粒子を含み，前記別々の粒子は，それに結合した抗体を含む，請求項１７記載の方法。
【請求項２０】
被験者において発作を診断する方法であって，
前記被験者から得た試料中の被験者に由来する複数のマーカーの存在または量を測定し，ここで，前記複数のマーカーは，神経組織の障害の特異的マーカー，血圧制御に関連するマーカー，凝固およびうっ血に関連するマーカー，および炎症に関連するマーカー，およびアポトーシスに関連するマーカーからなる群の２またはそれ以上のメンバーより独立して選択され；そして
前記複数のマーカーの存在または量を前記被験者における発作の発生と関連づける，
ことを特徴とする方法。
【請求項２１】
前記複数のマーカーが，アデニレートキナーゼ，脳由来神経栄養因子，カルビンジン−Ｄ，クレアチンキナーゼ−ＢＢ，グリア細胞繊維性酸性蛋白質，乳酸デヒドロゲナーゼ，ミエリン塩基性蛋白質，神経細胞接着分子（ＮＣＡＭ），ｃ−ｔａｕ，神経ペプチドＹ，ニューロン特異的エノラーゼ，ニューロトロフィン−３，プロテオリピド蛋白質，Ｓ−１００β，トロンボモジュリン，蛋白質キナーゼＣγ，心房性ナトリウム利尿ペプチド（ＡＮＰ），ｐｒｏ−ＡＮＰ，Ｂ型ナトリウム利尿ペプチド（ＢＮＰ），ＮＴ−ｐｒｏＢＮＰ，ｐｒｏ−ＢＮＰＣ型ナトリウム利尿ペプチド，ウロテンシンＩＩ，アルギニンバソプレシン，アルドステロン，アンジオテンシンＩ，アンジオテンシンＩＩ，アンジオテンシンＩＩＩ，ブラジキニン，カルシトニン，プロカルシトニン，カルシトニン遺伝子関連ペプチド，アドレノメジュリン，カルシホシン，エンドセリン−２，エンドセリン−３，レニン，ウロジラチン，急性期反応物質，細胞接着分子，Ｃ反応性蛋白質，インターロイキン，インターロイキン−１レセプターアゴニスト，単球遊走促進蛋白質−１，カスペース−３，リポカリン型プロスタグランジンＤシンターゼ，マスト細胞トリプターゼ，好酸球カチオン性蛋白質，ハプトグロビン，腫瘍壊死因子α，腫瘍壊死因子β，Ｆａｓリガンド，可溶性Ｆａｓ（Ａｐｏ−１），ＴＲＡＩＬ，ＴＷＥＡＫ，フィブロネクチン，マクロファージ移動阻害因子（ＭＩＦ），血管内皮成長因子（ＶＥＧＦ），カスペース−３，カテプシンＤ，α−スペクトリン，プラスミン，フィブリノーゲン，Ｄ−ダイマー，β−トロンボグロブリン，血小板因子４，フィブリノペプチドＡ，血小板由来成長因子，プロトロンビンフラグメント１＋２，プラスミン−α２−アンチプラスミン複合体，トロンビン−アンチトロンビンＩＩＩ複合体，Ｐ−セレクチン，トロンビン，フォン・ビルブラント因子，組織因子，および血栓前駆体蛋白質，またはこれらに関連するマーカーからなる群より独立して選択される，請求項２０記載の方法。
【請求項２２】
被験者に由来する前記複数のマーカーが，アデニレートキナーゼ，脳由来神経栄養因子，ｃ−ｔａｕ，カルビンジン−Ｄ，クレアチンキナーゼ−ＢＢ，グリア細胞繊維性酸性蛋白質，乳酸デヒドロゲナーゼ，ミエリン塩基性蛋白質，神経細胞接着分子（ＮＣＡＭ），ニューロン特異的エノラーゼ，ニューロトロフィン−３，プロテオリピド蛋白質，Ｓ−１００β，トロンボモジュリン，および蛋白質キナーゼＣγ，またはこれらに関連するマーカーからなる群より選択される少なくとも１つの神経組織の障害の特異的マーカーを含む，請求項２０記載の方法。
【請求項２３】
被験者に由来する前記複数のマーカーが，ＮＣＡＭ，クレアチンキナーゼ−ＢＢ，ｃ−ｔａｕ，およびＳ−１００β，またはこれらに関連するマーカーの少なくとも１つを含むか，または
被験者に由来する前記複数のマーカーが，ＮＣＡＭ，クレアチンキナーゼ−ＢＢ，ｃ−ｔａｕ，およびＳ−１００β，またはこれらに関連するマーカーの少なくとも２つを含む，請求項２２記載の方法。
【請求項２４】
被験者に由来する前記複数のマーカーがアポトーシスに関連する少なくとも１つのマーカーを含む，請求項２０記載の方法。
【請求項２５】
被験者に由来する前記複数のマーカーが，カスペース−３，カテプシンＤ，およびα−スペクトリン，またはこれらに関連するマーカーからなる群より選択されるアポトーシスに関連する少なくとも１つのマーカーを含む，請求項２４記載の方法。
【請求項２６】
被験者に由来する前記複数のマーカーが，炎症に関連する少なくとも１つのマーカーを含む，請求項２０記載の方法。
【請求項２７】
被験者に由来する前記複数のマーカーが，急性期反応物質，細胞接着分子，Ｃ反応性蛋白質，インターロイキン，インターロイキン−１レセプターアゴニスト，単球遊走促進蛋白質−１，カスペース−３，リポカリン型プロスタグランジンＤシンターゼ，マスト細胞トリプターゼ，好酸球カチオン性蛋白質，ハプトグロビン，腫瘍壊死因子α，腫瘍壊死因子β，Ｆａｓリガンド，可溶性Ｆａｓ（Ａｐｏ−１），ＴＲＡＩＬ，ＴＷＥＡＫ，フィブロネクチン，マクロファージ移動阻害因子（ＭＩＦ），および血管内皮成長因子（ＶＥＧＦ），またはこれらに関連するマーカーからなる群より選択される，炎症に関連する少なくとも１つのマーカーを含むか，または
被験者に由来する前記複数のマーカーが，マトリクスメタロプロテアーゼ−９，ＶＥＧＦ，Ｃ反応性蛋白質，またはこれらに関連するマーカーからなる群より選択される，炎症に関連する少なくとも１つのマーカーを含む，請求項２６記載の方法。
【請求項２８】
被験者に由来する前記複数のマーカーが，血圧制御に関連する少なくとも１つのマーカーを含む，請求項２０記載の方法。
【請求項２９】
被験者に由来する前記複数のマーカーが，心房性ナトリウム利尿ペプチド（ＡＮＰ），ｐｒｏ−ＡＮＰ，Ｂ型ナトリウム利尿ペプチド（ＢＮＰ），ＮＴ−ｐｒｏＢＮＰ，ｐｒｏ−ＢＮＰＣ型ナトリウム利尿ペプチド，ウロテンシンＩＩ，アルギニンバソプレシン，アルドステロン，アンジオテンシンＩ，アンジオテンシンＩＩ，アンジオテンシンＩＩＩ，ブラジキニン，カルシトニン，プロカルシトニン，カルシトニン遺伝子関連ペプチド，アドレノメジュリン，カルシホシン，エンドセリン−２，エンドセリン−３，レニン，およびウロジラチン，またはこれらに関連するマーカーからなる群より選択される，血圧制御に関連する少なくとも１つのマーカーを含む，請求項２８記載の方法。
【請求項３０】
被験者に由来する前記複数のマーカーが，ＢＮＰまたはこれに関連するマーカーを含む，請求項２９記載の方法。
【請求項３１】
被験者に由来する前記複数のマーカーが，少なくとも１つの神経組織の障害の特異的マーカー，炎症に関連する少なくとも１つのマーカー，およびアポトーシスに関連する少なくとも１つのマーカーを含む，請求項２０記載の方法。
【請求項３２】
被験者に由来する前記複数のマーカーが，血圧制御に関連する少なくとも１つのマーカーおよび／または凝固およびうっ血に関連する少なくとも１つのマーカーを含む，請求項３１記載の方法。
【請求項３３】
被験者に由来する前記複数のマーカーが，ＩＬ−１ｒａ，Ｃ反応性蛋白質，フォン・ビルブラント因子（ｖＷＦ），クレアチンキナーゼ−ＢＢ，ｃ−Ｔａｕ，Ｄ−ダイマー，血管内皮成長因子（ＶＥＧＦ），マトリクスメタロプロテアーゼ−９（ＭＭＰ−９），神経細胞接着分子（ＮＣＡＭ），ＢＮＰ，Ｓ１００β，シトクロムｃ，およびカスペース−３からなる群より選択される少なくとも４つのマーカーを含むか，または
被験者に由来する前記複数のマーカーが，ＢＮＰ，クレアチンキナーゼ−ＢＢ，ｃ−ｔａｕ，Ｄ−ダイマー，Ｃ反応性蛋白質，Ｓ１００β，ＮＣＡＭ，およびカスペース−３を含み，被験者に由来する前記複数のマーカーの１−３種類は任意に，ＩＬ−１ｒａ，ＭＭＰ−９，シトクロムｃ，およびＶＥＧＦからなる群より選択される同じ数のマーカーで置き換えられていてもよいか，または
被験者に由来する前記複数のマーカーが，クレアチンキナーゼ−ＢＢ，Ｄ−ダイマー，Ｃ反応性蛋白質，およびＳ１００βを含む，請求項２０記載の方法。
【請求項３４】
アッセイ方法がイムノアッセイ方法である，請求項２０記載の方法。
【請求項３５】
関連づける工程が，被験者に由来する前記複数のマーカーのそれぞれの濃度を測定し，そして各マーカー濃度を独立して閾値レベルと比較することを含むか，または
関連づける工程が，被験者に由来する前記複数のマーカーのそれぞれの濃度を測定し，被験者に由来する前記複数のマーカーのそれぞれの濃度に基づいて単一の指標値を計算し，そして指標値を閾値レベルと比較することを含むか，または
方法が，前記被験者に由来するマーカーの少なくとも１つの経時的変化を測定することを含み，前記経時的変化を前記関連づける工程において用いる，請求項２０記載の方法。
【請求項３６】
前記方法が，正常な被験者と比較したときに，少なくとも７０％の感度で，少なくとも８５％の特異度で発作を区別するか，または
前記方法が，正常な被験者と比較したときに，少なくとも８０％の感度で，少なくとも９０％の特異度で発作を区別するか，または
前記方法が，正常な被験者と比較したときに，少なくとも９０％の感度で，少なくとも９０％の特異度で発作を区別するか，または
前記方法が，発作症状を模倣する症状を示す被験者と比較したときに，少なくとも７０％の感度で，少なくとも８５％の特異度で発作を区別する，請求項２０記載の方法。
【請求項３７】
請求項２０記載の方法を実施するためのデバイスであって，複数の別々の位置を含み，各々は被験者に由来する前記複数のマーカーの１つを検出するために固定化されているような形状および配置とされていることを特徴とするデバイス。